(57)【特許請求の範囲】
【請求項１】
ＩＰ（Ｉｎｔｅｒｎｅｔ  Ｐｒｏｔｏｃｏｌ）ネットワーク上のＩＰ電話と通信するためのＩＰ電話部と、
公衆電話網上の一般電話と通信するための一般電話部と、
ＩＰ電話機能を起動し、前記ＩＰ電話との通信を制御するＩＰ電話実行部と、
前記ＩＰ電話部を用いて前記ＩＰネットワークに接続し、前記一般電話部を用いて前記公衆電話網に接続する電話回線接続部と、
前記ＩＰ電話から受信したメッセージ内の電話番号を読み出し、前記一般電話へダイヤル接続するメッセージ読出部と、
前記ダイヤル接続後、前記ＩＰ電話部と前記一般電話部との間の通信をスルーにする通話処理部と
を具備し、
前記ＩＰ電話部は、前記ＩＰ電話からチャット（Ｃｈａｔ）で前記メッセージを受信し、
前記メッセージ読出部は、前記メッセージ内に所定の文字が含まれている場合、中継接続であると判断し、前記メッセージから前記電話番号を示す情報を取得し、前記電話番号に基づき前記一般電話へダイヤル接続する
ＩＰ電話装置。
【請求項２】
請求項１に記載のＩＰ電話装置であって、
前記ＩＰ電話部は、受信したチャット文を他の中継ＩＰ電話に転送し、多重中継を実現する
ＩＰ電話装置。
【請求項３】
請求項２に記載のＩＰ電話装置であって、
前記メッセージ読出部は、他の中継ＩＰ電話の電話番号リストを保持し、前記受信したチャット文に記述された送信先の一般電話の電話番号を基に、電話番号リストから最適な転送先の中継ＩＰ電話を選択し、
前記ＩＰ電話部は、前記受信したチャット文を前記選択された中継ＩＰ電話に転送する
ＩＰ電話装置。
【請求項４】
請求項１乃至３のいずれか一項に記載のＩＰ電話装置であって、
前記通話処理部は、前記一般電話から前記ＩＰ電話に電話をかける場合に、前記一般電話側に音声ガイダンスでプッシュボタンの案内をし、前記一般電話側において、前記音声ガイダンスで指定した所定のプッシュボタンが押下されたとき、中継接続であると判断する
ＩＰ電話装置。
【請求項５】
ＩＰ（Ｉｎｔｅｒｎｅｔ  Ｐｒｏｔｏｃｏｌ）ネットワーク上で通信するＩＰ電話と、
公衆電話網上で通信する一般電話と、
前記ＩＰ電話及び前記一般電話のいずれとも通信可能であり、前記ＩＰ電話からチャット（Ｃｈａｔ）で受信したメッセージ内に所定の文字列が含まれている場合、中継接続であると判断し、前記メッセージ内の電話番号を読み出し、前記一般電話へダイヤル接続し、前記ＩＰ電話と前記一般電話との通信を確立する中継ＩＰ電話と
を有する
電話ネットワーク。
【請求項６】
請求項５に記載の電話ネットワークであって、
前記中継ＩＰ電話は、受信したチャット文を他の中継ＩＰ電話に転送し、多重中継を実現する
電話ネットワーク。
【請求項７】
請求項６に記載の電話ネットワークであって、
前記中継ＩＰ電話は、他の中継ＩＰ電話の電話番号リストを保持し、前記受信したチャット文に記述された送信先の一般電話の電話番号を基に、電話番号リストから最適な転送先の中継ＩＰ電話を選択し、前記受信したチャット文を前記選択された中継ＩＰ電話に転送する
電話ネットワーク。
【請求項８】
請求項５乃至７のいずれか一項に記載の電話ネットワークであって、
前記中継ＩＰ電話は、前記一般電話から前記ＩＰ電話に電話をかける場合に、前記一般電話側に音声ガイダンスでプッシュボタンの案内をし、前記一般電話側において、前記音声ガイダンスで指定した所定のプッシュボタンが押下されたとき、中継接続であると判断する
電話ネットワーク。
【請求項９】
ＩＰ電話と一般電話との間の中継ＩＰ電話となるＩＰ電話装置により実施されるダイヤル中継方法であって、
ＩＰ（Ｉｎｔｅｒｎｅｔ  Ｐｒｏｔｏｃｏｌ）ネットワークに接続し、前記ＩＰネットワーク上のＩＰ電話と通信することと、
前記ＩＰ電話からチャット（Ｃｈａｔ）で受信したメッセージ内に所定の文字が含まれている場合、中継接続であると判断し、前記メッセージから前記電話番号を示す情報を取得し、前記電話番号に基づき公衆電話網上の一般電話へダイヤル接続することと、
前記ダイヤル接続後、前記ＩＰ電話と前記一般電話との間の通信をスルーにすることと、
前記ＩＰ電話と前記一般電話とが通信することと
を含む
ダイヤル中継方法。
【請求項１０】
請求項９に記載のダイヤル中継方法であって、
受信したチャット文を他の中継ＩＰ電話に転送し、多重中継を実現すること
を更に含む
ダイヤル中継方法。
【請求項１１】
請求項１０に記載のダイヤル中継方法であって、
他の中継ＩＰ電話の電話番号リストを保持することと、
前記受信したチャット文に記述された送信先の一般電話の電話番号を基に、電話番号リストから最適な転送先の中継ＩＰ電話を選択することと、
前記受信したチャット文を前記選択された中継ＩＰ電話に転送することと
を更に含む
ダイヤル中継方法。
【請求項１２】
請求項９乃至１１のいずれか一項に記載のダイヤル中継方法であって、
前記一般電話から前記ＩＰ電話に電話をかける場合に、前記一般電話側に音声ガイダンスでプッシュボタンの案内をすることと、
前記一般電話側において、前記音声ガイダンスで指定した所定のプッシュボタンが押下されたとき、中継接続であると判断することと
を更に含む
ダイヤル中継方法。
【請求項１３】
ＩＰ電話と一般電話との間の中継ＩＰ電話となるＩＰ電話装置により実行されるプログラムであって、
ＩＰ（Ｉｎｔｅｒｎｅｔ  Ｐｒｏｔｏｃｏｌ）ネットワークに接続し、前記ＩＰネットワーク上のＩＰ電話と通信するステップと、
前記ＩＰ電話からチャット（Ｃｈａｔ）で受信したメッセージ内に所定の文字が含まれている場合、中継接続であると判断し、前記メッセージから前記電話番号を示す情報を取得し、前記電話番号に基づき公衆電話網上の一般電話へダイヤル接続するステップと、
前記ダイヤル接続後、前記ＩＰ電話と前記一般電話との間の通信をスルーにするステップと、
前記ＩＰ電話と前記一般電話とが通信するステップと
をＩＰ電話装置に実行させるための
プログラム。
【請求項１４】
請求項１３に記載のプログラムであって、
受信したチャット文を他の中継ＩＰ電話に転送し、多重中継を実現するステップ
を更にＩＰ電話装置に実行させるための
プログラム。
【請求項１５】
請求項１４に記載のプログラムであって、
他の中継ＩＰ電話の電話番号リストを保持するステップと、
前記受信したチャット文に記述された送信先の一般電話の電話番号を基に、電話番号リストから最適な転送先の中継ＩＰ電話を選択するステップと、
前記受信したチャット文を前記選択された中継ＩＰ電話に転送するステップと
を更にＩＰ電話装置に実行させるための
プログラム。
【請求項１６】
請求項１３乃至１５のいずれか一項に記載のプログラムであって、
前記一般電話から前記ＩＰ電話に電話をかける場合に、前記一般電話側に音声ガイダンスでプッシュボタンの案内をするステップと、
前記一般電話側において、前記音声ガイダンスで指定した所定のプッシュボタンが押下されたとき、中継接続であると判断するステップと
を更にＩＰ電話装置に実行させるための
プログラム。
【発明の詳細な説明】
【技術分野】
【０００１】
本発明は、ＩＰ電話装置に関し、特にＩＰ電話と一般電話との通信を中継するＩＰ電話装置に関する。
【背景技術】
【０００２】
電話をかける相手との間の通信経路を、インターネットで使用されているＩＰ（Ｉｎｔｅｒｎｅｔ  Ｐｒｏｔｏｃｏｌ）ベースで構築したＩＰ電話サービスの１つとして、Ｓｋｙｐｅ（スカイプ）が知られている。
【０００３】
Ｓｋｙｐｅは、インターネットを利用し、Ｐ２Ｐ技術を応用して個々のコンピュータ間で独立した通話を実現した音声通話ソフトである。例えば、パソコンにマイク（と必要に応じてヘッドフォン）を接続すれば、Ｓｋｙｐｅユーザ同士で音声による通信を行うことができる。中央サーバーを介さずユーザー同士が直接接続して通話をする仕組みのため、通話に十分な通信帯域が確保され、通常のＩＰ電話に比べて高い通話品質を実現することができる。利用できるコンピュータ環境としては、一般的に使われてるコンピュータはもちろん、ＰＤＡにも対応している。
【０００４】
しかし、現状において、ＩＰ電話では、相手もＩＰ電話でないと接続できない。同様に、Ｓｋｙｐｅでは、相手もＳｋｙｐｅ対応電話でないと接続できない。
【０００５】
これを解決するため、現在、以下の対策が行われている。
（１）Ｓｋｙｐｅは、Ｓｋｙｐｅ−Ｏｕｔサービスで実現する。
（２）Ｓｋｙｐｅのサービス提供会社が着信転送で実現する。
（３）ＩＰ電話から、フリーフォン番号を含むＩＮＶＩＴＥメッセージをプロキシ
サーバに送り、メディアゲートウエイを経由して一般電話に着信させる。プロキシサーバ、メディアゲートウエイでは、ＩＮＶＩＴＥメッセージに含まれるフリーフォン番号を分析し接続する。（ＩＮ（インテリジェントネットワーク）の発展型）
【０００６】
但し、上記の（１）、（２）、（３）共、インフラ設備で実現されている。従って、設備費、導入スピードが問題となる。更に、ネットワークの位置ノードとなるため、品質などの規制にも係わる。
【０００７】
関連する技術として、特開２００４−２６０３３１号公報（特許文献１）にＩＮサービス提供システムが開示されている。
この従来技術は、ＰＳＴＮ（公衆電話網）内に設けられたＳＳＰ（サービス交換ノード）と、ＳＳＰに制御指示を出力することによりＩＮ（インテリジェントネットワーク）サービスを実現するＳＣＰ（サービス制御ノード）と、ＩＰ電話端末が接続されるＩＰ網とを具備するＩＮサービス提供システムに関する。このＩＰ電話端末発信呼に対するＩＮサービス提供システムは、ＩＰ網内に、ＩＰ電話端末から発信されたＩＮサービス呼のダイヤル番号を分析する機能と、ダイヤル番号の分析結果に基づいてＩＮサービス呼をＰＳＴＮへルーチングする機能とを有し、ＰＳＴＮ内のＳＳＰに、前記ＩＮサービス呼に対する制御指示をＳＣＰに対して要求する機能を有することを特徴とする。
【０００８】
また、特開２０００−３２４２５１号公報（特許文献２）にパーソナルアシスト装置が開示されている。
このパーソナルアシスト装置は、電話音声の交換を行う電話交換手段と、電話音声を音声パケットデータに変換し、音声パケットデータを電話音声に変換する回線／パケット変換手段と、電話帳情報を有するディレクトリデータと、Ｗｅｂへのアクセスを行うＷｅｂサーバと、電話音声の入出力を行う回線インターフェース手段と、音声パケットデータの入出力を行うネットワークインターフェース手段と、サーバ側の処理を行うサーバ処理部と、クライアント側にロードされてクライアント側の処理を行うクライアント処理部と、ユーザがインターネットに接続中のときには、前記回線インターフェース手段が受けた前記ユーザへの電話を前記回線／パケット変換手段及び前記ネットワークインターフェース手段により前記ユーザのＩＰ電話に接続し、前記ユーザがインターネットに接続中でなければ前記電話交換手段及び前記回線インターフェース手段により前記ユーザの一般電話に接続する制御部とを有することを特徴とする。
【０００９】
特開２００２−２３７９０７号公報（特許文献３）にインターネットＩＰ電話通信専用装置が開示されている。
この従来技術は、インターネット網に接続することにより、インターネット網経由で音声電話通信する時のインターネットＩＰ電話通信専用装置に関する。このインターネットＩＰ電話通信専用装置は、ＤＴＭＦプッシュ信号を受発信することができるＤＳＰ制御部と、受話器及び電話番号入力盤からなる電話機器部と、ＩＰアドレス割当状況を即時に自動表示することができる画面表示部と、各種設定情報を入力するためのキーボード配列をした操作入力部と、インターネット網との接続をすることによりデータ通信を可能にする変調復調部と、以上の各部を統括制御するためのプログラムが常時稼動する中央制御部とを備えた事を特徴とする。
【００１０】
特開２００４−２２１９４５号公報（特許文献４）に通信端末装置が開示されている。
この通信端末装置は、呼制御プロトコルによって、ＩＰ電話番号により指定した相手装置とコネクションを確立するコネクション確立手段と、前記コネクション上で前記相手装置へ電子メールを送信する送信手段と、前記コネクション確立手段によるコネクションの確立が成功したか否かを判断する判断手段と、該判断手段による判断結果に基づいて実行すべき処理を決定する手段と、を備えることを特徴とする。
【００１１】
特開２００５−０１８４２３号公報（特許文献５）に携帯通信端末が開示されている。
この携帯通信端末は、チャットに参加するメンバーを登録メンバーとして記憶するメンバー記憶手段と、チャット画面を表示し、チャット画面の表示中に登録メンバーから受信した電子メールの本文をチャットメッセージとしてチャット画面に表示し、チャット画面の表示中に作成されたチャットメッセージを電子メールとして登録メンバーに対し出力するチャット処理手段を備える。上記メンバー記憶手段は、画像に対応付けて登録メンバーを記憶し、上記チャット処理手段は、チャットメッセージの送信元に対応する画像を当該チャットメッセージに対応付けてチャット画面に表示することを特徴とする。
【００１２】
特開２００５−３３３３２９号公報（特許文献６）に電話機が開示されている。
この電話機は、電話回線網を経由して外部の発信元からの着信を受ける受信部と、着信した音声信号をデジタル音声データに変換する変換部と、前記デジタル音声データを、ＩＰ網を介して転送先電話番号へ発信する発信部と、を備えることを特徴とする。
【００１３】
【特許文献１】特開２００４−２６０３３１号公報
【特許文献２】特開２０００−３２４２５１号公報
【特許文献３】特開２００２−２３７９０７号公報
【特許文献４】特開２００４−２２１９４５号公報
【特許文献５】特開２００５−０１８４２３号公報
【特許文献６】特開２００５−３３３３２９号公報
【発明の開示】
【発明が解決しようとする課題】
【００１４】
本発明の目的は、チャット（Ｃｈａｔ）で接続したい電話番号を送り、ＩＰ電話でない相手先に接続させるＩＰ電話装置を提供することである。
【課題を解決するための手段】
【００１５】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１６】
本発明のＩＰ電話（２０）装置（１０）は、ＩＰ（Ｉｎｔｅｒｎｅｔ  Ｐｒｏｔｏｃｏｌ）ネットワーク（４０）上のＩＰ電話（２０）と通信するためのＩＰ電話部（１１）と、公衆電話網（５０）上の一般電話（３０）と通信するための一般電話部（１２）と、ＩＰ電話機能を起動し、前記ＩＰ電話（２０）との通信を制御するＩＰ電話実行部（１３１）と、前記ＩＰ電話部（１１）を用いて前記ＩＰネットワーク（４０）に接続し、前記一般電話部（１２）を用いて前記公衆電話網（５０）に接続する電話回線接続部（１３２）と、前記ＩＰ電話（２０）から受信したメッセージ内の電話番号を読み出し、前記一般電話（３０）へダイヤル接続するメッセージ読出部（１３３）と、前記ダイヤル接続後、前記ＩＰ電話部（１１）と前記一般電話部（１２）との間の通信をスルーにする通話処理部（１３４）とを具備する。前記メッセージ読出部（１３３）は、前記メッセージ内に所定の文字が含まれている場合、中継接続であると判断し、前記メッセージから前記電話番号を示す情報を取得し、前記電話番号に基づき前記一般電話（３０）へダイヤル接続する。
【００１７】
前記メッセージ読出部（１３３）は、前記メッセージ冒頭に「ＤＩＡＬ：」が有る場合、ダイヤル接続指示であると判断し、前記メッセージ内の「ＤＩＡＬ：」以降の数字を前記電話番号と判断して前記一般電話（３０）へダイヤル接続する。
【００１８】
前記ＩＰ電話部（１１）は、前記ＩＰ電話（２０）からチャット（Ｃｈａｔ）で前記メッセージを受信する。
【００１９】
前記メッセージ読出部（１３３）は、前記一般電話（３０）からの音声入力、又は、所定のボタンの押下による入力に基づいて、中継接続であると判断し、前記ＩＰ電話（２０）の電話番号を示す情報を取得する。
【００２０】
本発明の電話ネットワークは、ＩＰ（Ｉｎｔｅｒｎｅｔ  Ｐｒｏｔｏｃｏｌ）ネットワーク（４０）上で通信するＩＰ電話（２０）と、公衆電話網（５０）上で通信する一般電話（３０）と、前記ＩＰ電話（２０）及び前記一般電話（３０）のいずれとも通信可能であり、前記ＩＰ電話（２０）から受信したメッセージ内に所定の文字列が含まれている場合、中継接続であると判断し、前記メッセージ内の電話番号を読み出し、前記一般電話（３０）へダイヤル接続し、前記ＩＰ電話（２０）と前記一般電話（３０）との通信を確立する中継ＩＰ電話（１０）とを有する。
【００２１】
前記ＩＰ電話（２０）は、前記中継ＩＰ電話（１０）として使用可能である。
【００２２】
前記中継ＩＰ電話（１０）は、携帯端末である。
【００２３】
前記ＩＰ電話（２０）は第１国に存在する。前記一般電話（３０）及び前記中継ＩＰ電話（１０）は第２国に存在する。前記ＩＰ電話（２０）は、前記中継ＩＰ電話（１０）へＩＰネットワーク（４０）を介して国際電話を行い、前記中継ＩＰ電話（１０）は、前記一般電話（３０）へダイヤル接続し、前記ＩＰ電話（２０）と前記一般電話（３０）との通信を確立する。
【００２４】
本発明のダイヤル中継方法は、（ａ１）中継ＩＰ電話（１０）側でＩＰ電話機能を起動するステップと、（ａ２）ＩＰ電話（２０）側でＩＰ電話機能を起動するステップと、（ａ３）一般電話（３０）の電話番号に関する情報について、前記ＩＰ電話（２０）から前記中継ＩＰ電話（１０）へメッセージを送るステップと、（ａ４）前記中継ＩＰ電話（１０）側で前記メッセージを受信するステップと、（ａ５）前記中継ＩＰ電話（１０）側で前記メッセージに含まれる所定の文字を識別し、中継接続である旨を確認し、前記一般電話（３０）の電話番号を取得するステップと、（ａ６）前記前記一般電話（３０）の電話番号に基づき、前記中継ＩＰ電話（１０）側から前記一般電話（３０）に対してダイヤル接続するステップと、（ａ７）ダイヤル接続後、前記中継ＩＰ電話（１０）内で、前記ＩＰ電話（２０）と前記一般電話（３０）との間の通信をスルーにするステップと、（ａ８）前記一般電話（３０）側が応答することで、前記ＩＰ電話（２０）と前記一般電話（３０）との間で通信接続が確立し、通話開始となるステップとを具備する。
【００２５】
前記（ａ４）ステップは、（ａ４１）前記ＩＰ電話（２０）からチャット（Ｃｈａｔ）で前記メッセージを受信するステップを具備する。
【００２６】
本発明のダイヤル中継方法は、（ｂ１）前記中継ＩＰ電話（１０）側でＩＰ電話機能を起動するステップと、（ｂ２）前記一般電話（３０）側から前記中継ＩＰ電話（１０）に電話をかけるステップと、（ｂ３）前記中継ＩＰ電話（１０）側から前記一般電話（３０）側に音声ガイダンスの案内を実施するステップと、（ｂ４）前記一般電話（３０）側から前記中継ＩＰ電話（１０）側に、中継接続である旨と、ＩＰ電話（２０）の電話番号を、音声入力、又は、所定のボタンの押下により通知するステップと、（ｂ５）前記中継ＩＰ電話（１０）側で、中継接続である旨を確認し、前記ＩＰ電話（２０）の電話番号を取得するステップと、（ｂ６）前記ＩＰ電話（２０）の電話番号に基づき、前記中継ＩＰ電話（１０）側から前記ＩＰ電話（２０）に対して接続要求するステップと、（ｂ７）前記ＩＰ電話（２０）に接続要求後、前記中継ＩＰ電話（１０）内で、前記ＩＰ電話（２０）と前記一般電話（３０）との間の通信をスルーにするステップと、（ｂ８）前記ＩＰ電話（２０）側が応答することで、前記ＩＰ電話（２０）と前記一般電話（３０）との間で通信接続が確立し、通話開始となるステップとを更に具備する。
【００２７】
本発明の他のダイヤル中継方法は、（Ａ）ＩＰ（Ｉｎｔｅｒｎｅｔ  Ｐｒｏｔｏｃｏｌ）ネットワーク（４０）に接続し、前記ＩＰネットワーク（４０）上のＩＰ電話（２０）と通信するステップと、（Ｂ）前記ＩＰ電話（２０）から受信したメッセージ内に所定の文字が含まれている場合、中継接続であると判断し、前記メッセージから前記電話番号を示す情報を取得し、前記電話番号に基づき公衆電話網（５０）上の一般電話（３０）へダイヤル接続するステップと、（Ｃ）前記ダイヤル接続後、前記ＩＰ電話（２０）と前記一般電話（３０）との間の通信をスルーにするステップと、（Ｄ）前記ＩＰ電話（２０）と前記一般電話（３０）とが通信するステップとを具備する。
【００２８】
前記（Ｂ）ステップは、（Ｂ１）前記メッセージ冒頭に「ＤＩＡＬ：」が有る場合、ダイヤル接続指示であると判断し、前記メッセージ内の「ＤＩＡＬ：」以降の数字を前記電話番号と判断して前記一般電話（３０）へダイヤル接続するステップを具備する。
【００２９】
前記（Ｂ）ステップは、（Ｂ２）前記ＩＰ電話（２０）からチャット（Ｃｈａｔ）で前記メッセージを受信するステップを更に具備する。
【００３０】
本発明の他のダイヤル中継方法は、（Ｅ）前記公衆電話網（５０）に接続し、前記公衆電話網（５０）上の前記一般電話（３０）と通信するステップと、（Ｆ）前記一般電話（３０）からの音声入力、又は、所定のボタンの押下による入力に基づいて、中継接続であると判断し、前記ＩＰ電話（２０）の電話番号を示す情報を取得し、前記ＩＰ電話（２０）の電話番号に基づき前記ＩＰ電話（２０）へ接続するステップと、（Ｇ）前記ＩＰ電話（２０）に接続後、前記ＩＰ電話（２０）と前記一般電話（３０）との間の通信をスルーにするステップと、（Ｈ）前記ＩＰ電話（２０）と前記一般電話（３０）とが通信するステップとを更に具備する。
【発明の効果】
【００３１】
一切インフラ側に頼ることなく、ＩＰ電話から一般電話への接続が出来る。中継ＩＰ電話は、ネットワークの一部ではないので、法規制にも係わらない。
【発明を実施するための最良の形態】
【００３２】
ＩＰ電話は一般にチャット（Ｃｈａｔ）も可能である。本発明は、そのチャットで、接続したい相手の電話番号を送り、ＩＰ電話でない相手先に接続させる。
以下に本発明の第１実施形態について添付図面を参照して説明する。
本発明における電話ネットワークは、中継ＩＰ電話１０と、ＩＰ電話２０と、一般電話３０とを有する。
中継ＩＰ電話１０は、一般電話回線との接続も出来るＩＰ電話である。ＩＰネットワーク４０を介してＩＰ電話２０と通信し、公衆電話網５０を介して一般電話３０と通信する。中継ＩＰ電話１０には、電話機能による通話のための通話機６０が接続されている。ＩＰ電話２０は、電話をかける相手との間の通信を、インターネットで使用されているＩＰプロトコルベースで実施する電話機である。ＩＰ電話２０には、電話機能による通話のための通話機７０が接続されている。なお、中継ＩＰ電話１０及びＩＰ電話２０は、ＩＰ電話機能を有するコンピュータでも良い。また、中継ＩＰ電話１０及びＩＰ電話２０は、同じ構成とすることも可能である。例えば、中継ＩＰ電話１０以外の中継ＩＰ電話を、ＩＰ電話２０として使用することが考えられる。一般電話３０は、一般電話回線を利用して音声により通話を行う電話機である。一般電話３０は、固定電話機、携帯電話機を問わない。
【００３３】
図２に示すように、中継ＩＰ電話１０は、ＩＰ電話部１１と、一般電話部１２とを備える。
ＩＰ電話部１１は、ＩＰネットワーク４０を介してＩＰ電話２０と通信するための通信用インタフェースである。一般電話部１２は、公衆電話網５０を介して一般電話３０と通信するための通信用インタフェースである。なお、実際にＩＰ電話２０又は一般電話３０と通話するための通話機６０は、中継ＩＰ電話１０に実装されていても良いし、ＩＰ電話部１１又は一般電話部１２を介して外部接続（外付け）されていても良い。
【００３４】
また、中継ＩＰ電話１０の内部構成について説明すると、図３に示すように、中継ＩＰ電話１０は、処理部１３と、記憶部１４とを更に備える。
処理部１３は、ＩＰ電話２０と一般電話３０との通信を中継するためのデータ処理及び制御を行う。例えば、ＩＰ電話部１１と一般電話部１２との間でデータ変換（アナログ／デジタル変換、暗号化／復号化）を行う。記憶部１４は、電話機能（一般電話機能、ＩＰ電話機能（例えば、Ｓｋｙｐｅ））に関するアプリケーションソフトウェアを格納する。処理部１３は、このアプリケーションソフトウェアを読み出して実行する。なお、図３では、通話機６０は処理部１３に接続されているが、この場合、処理部１３は、通話機６０を接続するための通信用インタフェースを含む。
【００３５】
ここでは、ＩＰ電話として、一般的に普及している「Ｓｋｙｐｅ」を例に説明する。
中継ＩＰ電話１０は、一般的なパソコンであるものとする。この場合、中継ＩＰ電話１０の構成も一般的なパソコンに準じる。但し、実際には、中継ＩＰ電話１０は、ＩＰ電話機能を実現する通信装置であれば良く、パソコンに限定されない。中継ＩＰ電話１０は、ＩＰネットワーク４０、公衆電話網５０に接続されている。また、中継ＩＰ電話１０は、ＩＰ電話のため、Ｓｋｙｐｅを具備する。また、電話回線接続機能を具備する。電話回線接続機能は、回線でのインターネット接続機能に相当する。Ｓｋｙｐｅ上のチャットメッセージ内の電話番号を読み出し、電話網へダイヤル接続する機能を具備する。更に、ＩＰ電話２０と一般電話３０の接続後、Ｓｋｙｐｅ音声回路と電話接続側音声回路をスルーにする機能を具備する。これらの各機能は、中継ＩＰ電話１０内部の回路やハードウェアにより実現しても良い。
【００３６】
ここでは、前述の各機能は、処理部１３が有するものとする。この場合、処理部１３は、図４に示すように、ＩＰ電話実行部１３１と、電話回線接続部１３２と、メッセージ読出部１３３と、通話処理部１３４とを具備する。
ＩＰ電話実行部１３１は、Ｓｋｙｐｅを実行する。すなわち、ＩＰ電話機能（Ｓｋｙｐｅ）を起動し、ＳｋｙｐｅによりＩＰ電話３０との通信を制御する。電話回線接続部１３２は、電話回線接続機能を備え、ＩＰ電話部１１を用いてＩＰネットワークに接続する。また、一般電話部１２を用いて公衆電話網５０に接続する。メッセージ読出部１３３は、Ｓｋｙｐｅ上のチャットメッセージ内の電話番号を読み出し、公衆電話網５０上の一般電話３０へダイヤル接続する。通話処理部１３４は、ダイヤル接続後、Ｓｋｙｐｅ音声回路と電話接続側音声回路をスルーにする。すなわち、ＩＰ電話部１１と一般電話部１２との間の通信を直接行なえるようにする。なお、ここで説明した各部は、処理部１３で実行されるプログラムでも良い。
【００３７】
図５を参照して、ＩＰ電話から、ＩＰ電話でない相手（一般電話）へ電話する場合に関して、接続手順を以下に述べる。
（１）ステップＳ１０１
中継ＩＰ電話１０側はＩＰ電話機能（ここではＳｋｙｐｅ）を起動し、オンライン状態となる。すなわち、ＩＰ電話による通信が可能な状態にする。
（２）ステップＳ１０２
ＩＰ電話２０側もＩＰ電話機能（ここではＳｋｙｐｅ）を起動する。すなわち、ＩＰ電話による通信が可能な状態にする。これにより、ＩＰ電話２０側から中継ＩＰ電話１０側にＩＰネットワーク４０を介して電話をかけることが可能となる。
（３）ステップＳ１０３
ＩＰ電話２０側が通話を所望する相手（一般電話３０）の電話番号に関する情報について、ＩＰ電話２０から中継ＩＰ電話１０へチャット文を送る。
チャット文（チャットメッセージ）の作文ルールを以下に詳述する。
チャットメッセージにおいて、ダイヤル接続すべきメッセージを識別するため、
ＤＩＡＬ：０１２３４５６７８９
の様に、「ＤＩＡＬ：」を規定している。
すなわち、メッセージ冒頭に「ＤＩＡＬ：」が有る場合は、ダイヤル接続指示を意味する。
（４）ステップＳ１０４
中継ＩＰ電話１０は、チャット文（ＤＩＡＬ：０１２３４５６７８９）を受信する。
（５）ステップＳ１０５
中継ＩＰ電話１０は、チャット文の『ＤＩＡＬ：』を識別し、中継接続である旨を知る。この時、ＩＰ電話２０側が通話を所望する相手（一般電話３０）の電話番号（０１２３４５６７８９）を抽出し取得する。この処理は、処理部１３（メッセージ読出部１３３）により行われる。
（６）ステップＳ１０６
中継ＩＰ電話１０は、一般電話部１２のＩＰ電話内電話回路を起動して、ＰＳＴＮ（公衆電話網５０）の一般電話３０に対してダイヤルをする。
（７）ステップＳ１０７
中継ＩＰ電話１０は、ダイヤル後、中継ＩＰ電話１０内で、ＩＰ電話部１１と一般電話部１２をスルーにする。
（８）ステップＳ１０８
ＩＰ電話２０側では、一般電話３０の呼び出し音が聞こえる。
（９）ステップＳ１０９
一般電話３０側が応答することで、ＩＰ電話２０と一般電話３０との間で通信接続が確立し、通話開始となる。
【００３８】
なお、前述の例では、ＩＰ電話２０は、チャット（Ｃｈａｔ）で通話を所望する相手の電話番号を通視しているが、他の実施例として、電子メール、又は、ショートメッセージサービス（ＳＭＳ）を利用する方法が考えられる。この場合、ＩＰ電話２０側は、タイトル（件名）、或いは本文中のメッセージ冒頭に「ＤＩＡＬ：０１２３４５６７８９」の様に記述して送信する。中継ＩＰ電話１０は、タイトル（件名）、或いは本文中のメッセージ冒頭に「ＤＩＡＬ：」が有る場合、ダイヤル接続指示を意味するものと判断するようにする。同様に、文書ファイル転送により中継ＩＰ電話１０側に通話相手の電話番号を通知する方法が考えられる。この場合、中継ＩＰ電話１０は、ファイル名、或いは本文中のメッセージ冒頭に「ＤＩＡＬ：」が有る場合、ダイヤル接続指示を意味するものと判断するようにする。「ＤＩＡＬ：」以降の文（ここでは、０１２３４５６７８９）は通話相手の電話番号を示す。
【００３９】
また、中継ＩＰ電話１０及びＩＰ電話２０が共にパソコンである場合のように、中継ＩＰ電話１０及びＩＰ電話２０がどちらもＷｅｂサイトを閲覧可能な場合、中継ＩＰ電話１０が提供する電話番号入力用のＷｅｂサイトをＩＰ電話２０側で表示し、ＩＰ電話２０側から通話を所望する相手の電話番号をこのＷｅｂサイトに入力することで、中継ＩＰ電話１０に通話相手の電話番号を通知するようにしても良い。同様に、事前にＩＰ電話２０側に電話番号通知用のアプリケーションソフトウェアを導入（インストール）し、このアプリケーションソフトウェアを起動して通話を所望する相手の電話番号を入力することで、中継ＩＰ電話１０に通話相手の電話番号を通知するようにしても良い。なお、アプリケーションソフトウェアへの入力に基づき、中継ＩＰ電話１０にチャット（Ｃｈａｔ）で通話相手の電話番号を通知することも可能である。
【００４０】
以下に本発明の第２実施形態について説明する。
ここでは、第１実施形態とは逆に、一般電話からＩＰ電話に電話をかける場合について説明する。なお、第１実施形態と第２実施形態は、同時に実施可能である。
一般電話３０の場合、通常はチャットを利用することができないため、音声入力、又は、プッシュボタンの押下による入力により、通話を所望する相手（ＩＰ電話２０）の電話番号を中継ＩＰ電話１０に通知する。
この場合、中継ＩＰ電話１０側から一般電話３０側に、音声ガイダンスの案内を行い、この音声ガイダンスの案内に従って、一般電話３０側から音声入力、又は、プッシュボタンの押下による電話番号の入力を行うようにしても良い。この時、一般電話３０側は、中継接続である旨の通知も行うようにする。例えば、音声ガイダンスの開始直後、一般電話３０側で「中継接続」と最初に音声入力するか、或いは、音声ガイダンスで指定された所定のプッシュボタン（「＊」「＃」或いは「０」〜「９」のいずれか）を押下することで、中継ＩＰ電話１０は、中継接続であると判断する。
【００４１】
図６を参照して、一般電話から、一般電話でない相手（ＩＰ電話）へ電話する場合に関して、接続手順を以下に述べる。
（１）ステップＳ２０１
中継ＩＰ電話１０側はＩＰ電話機能（ここではＳｋｙｐｅ）を起動し、オンライン状態となる。すなわち、ＩＰ電話による通信が可能な状態にする。
（２）ステップＳ２０２
一般電話３０側から中継ＩＰ電話１０に電話をかける。
（３）ステップＳ２０３
中継ＩＰ電話１０は、音声ガイダンスの案内を開始する。音声ガイダンスの内容データは記憶部１４に格納しておき、処理部１３（電話回線接続部１３２）が、一般電話部１２を介して一般電話３０側に音声ガイダンスの案内を実施する。
（４）ステップＳ２０４
一般電話３０側から中継ＩＰ電話１０側に、中継接続である旨と、通話を所望する相手（ＩＰ電話２０）の電話番号を通知する。通知は、音声入力、又は、プッシュボタンの押下により行われる。
（５）ステップＳ２０５
中継ＩＰ電話１０は、中継接続である旨を知る。また、一般電話３０側が通話を所望する相手（ＩＰ電話２０）の電話番号を取得する。この処理は、処理部１３（メッセージ読出部１３３）により行われる。処理部１３（メッセージ読出部１３３）は、音声入力、又は、プッシュボタンの押下が示す内容を判断し、中継接続である旨や電話番号を確認する。
（６）ステップＳ２０６
中継ＩＰ電話１０は、ＩＰ電話部１１のＩＰ電話内電話回路を起動して、ＩＰネットワークのＩＰ電話２０に対してＩＰ電話機能での接続要求をする。
（７）ステップＳ２０７
中継ＩＰ電話１０は、ＩＰ電話機能での接続要求後、中継ＩＰ電話１０内で、ＩＰ電話部１１と一般電話部１２をスルーにする。
（８）ステップＳ２０８
一般電話３０側では、ＩＰ電話２０の呼び出し音が聞こえる。
（９）ステップＳ２０９
ＩＰ電話２０側が応答することで、ＩＰ電話２０と一般電話３０との間で通信接続が確立し、通話開始となる。
【００４２】
なお、第２実施形態の説明において、「一般電話」と「ＩＰ電話」を置き換えることも可能である。すなわち、ＩＰ電話２０側からの音声入力、又は、所定のプッシュボタンの押下により、中継接続である旨や、一般電話３０の電話番号を中継ＩＰ電話１０に通知するようにすることも可能である。
【００４３】
他にも、携帯電話に本発明の各機能を搭載し、携帯電話を中継ＩＰ電話１０とすることが考えられる。また、国際電話において、外国から国内に電話する場合、外国のＩＰ電話２０を利用して国内の中継ＩＰ電話１０に電話し、国内の中継ＩＰ電話１０を介して国内の一般電話３０を利用することが考えられる。国内から外国に電話する場合、国内のＩＰ電話２０を利用して外国の中継ＩＰ電話１０に電話し、外国の中継ＩＰ電話１０を介して外国の一般電話３０を利用することが考えられる。すなわち、外国のＩＰ電話２０から国内の一般電話３０に電話するようにする。逆の場合は、国内のＩＰ電話２０から国内の一般電話３０に電話するようにする。ＩＰ電話による通話は、基本的に無料であるため、格安の料金で国際電話が可能となる。
【００４４】
更に、複数の中継ＩＰ電話を経由する多重中継を実現することも可能である。例えば、一般電話３０から第１の中継ＩＰ電話１０にチャット文を通知し、第１の中継ＩＰ電話１０から第２の中継ＩＰ電話１０にチャット文を通知し、第２の中継ＩＰ電話１０が一般電話３０に電話するようにしても良い。この場合、チャット文には、第２の中継ＩＰ電話１０及び一般電話３０の電話番号を順番に記述する。第１の中継ＩＰ電話１０から第２の中継ＩＰ電話１０にチャット文を通知した際、第１の中継ＩＰ電話１０は自身の電話番号が含まれていなければ、チャット文の先頭に記載されている電話番号に基づき、第２の中継ＩＰ電話１０にチャット文を通知する。第１の中継ＩＰ電話１０から第２の中継ＩＰ電話１０にチャット文を通知した際、第２の中継ＩＰ電話１０は自身の電話番号をチャット文から削除する。削除後のチャット文の先頭に記載されている電話番号に基づき、第２の中継ＩＰ電話１０は一般電話３０に電話する。
また、前述のように、国内から外国に電話する場合、国内の一般電話３０から国内の中継ＩＰ電話１０に電話し、国内の中継ＩＰ電話１０から外国の中継ＩＰ電話１０に電話し、外国の中継ＩＰ電話１０を介して外国の一般電話３０を利用することが考えられる。この場合、国内の一般電話３０から国内の中継ＩＰ電話１０に外国の中継ＩＰ電話１０の電話番号を通知し、国内の一般電話３０と外国の中継ＩＰ電話１０との通話がスルーになった時点で、国内の一般電話３０から外国の中継ＩＰ電話１０に外国の一般電話３０の電話番号を通知する。この時、国内の中継ＩＰ電話１０が、事前に外国の中継ＩＰ電話１０の電話番号リストを保持しておき、国内の一般電話３０から外国の一般電話３０の電話番号を通知されると、外国の一般電話３０の電話番号に含まれる国番号・国コードに基づき電話番号リストから適当な外国の中継ＩＰ電話１０を選択して通信するようにしても良い。
【図面の簡単な説明】
【００４５】
【図１】図１は、本発明における電話ネットワークの構成図である。
【図２】図２は、中継ＩＰ電話の概略図である。
【図３】図３は、中継ＩＰ電話の構成を示すブロック図である。
【図４】図４は、処理部の構成を示すブロック図である。
【図５】図５は、ＩＰ電話から一般電話への通信時の動作を示すフローチャートである。
【図６】図６は、一般電話からＩＰ電話への通信時の動作を示すフローチャートである。
【符号の説明】
【００４６】
１０…  中継ＩＰ電話
１１…  ＩＰ電話部
１２…  一般電話部
１３…  処理部
１３１…  ＩＰ電話実行部
１３２…  電話回線接続部
１３３…  メッセージ読出部
１３４…  通話処理部
１４…  記憶部
２０…  ＩＰ電話
３０…  一般電話
４０…  ＩＰネットワーク
５０…  公衆電話網
６０…  通話機
７０…  通話機
【図１】
0004848835.tif 000002
【図２】
0004848835.tif 000003
【図３】
0004848835.tif 000004
【図４】
0004848835.tif 000005
【図５】
0004848835.tif 000006
【図６】
0004848835.tif 000007